(57)【要約】【課題】機密情報を含む画像を印刷した場合に、機密情報が外部に漏れることを抑制する手段を提供する。【解決手段】搬送部で搬送された媒体に機密情報を含む現像剤像を形成する画像形成部と、前記画像形成部で媒体に形成された現像剤像を加熱する定着装置により該現像剤像を媒体に定着させ、定着後の媒体の搬送を停止して保持する定着部と、前記定着部で保持された媒体が所定の条件の下で受け取られたか否かを判定する判定部と、前記搬送部、前記画像形成部、前記定着部、および前記判定部を制御する制御部と、を有し、前記制御部は、前記判定部の判定結果に基づいて前記定着部で保持された媒体の機密情報を含む現像剤像を前記定着装置で再加熱して破壊する。【選択図】        図３
2020034782.tif 000002
【特許請求の範囲】
【請求項１】
媒体を搬送する搬送部と、
前記搬送部で搬送された媒体に機密情報を含む現像剤像を形成する画像形成部と、
前記画像形成部で媒体に形成された現像剤像を加熱する定着装置により該現像剤像を媒体に定着させ、定着後の媒体の搬送を停止して保持する定着部と、
前記定着部で保持された媒体が所定の条件の下で受け取られたか否かを判定する判定部と、
前記搬送部、前記画像形成部、前記定着部、および前記判定部を制御する制御部と、
を有し、
前記制御部は、前記判定部の判定結果に基づいて前記定着部で保持された媒体の機密情報を含む現像剤像を前記定着装置で再加熱して破壊することを特徴とする画像形成装置。
【請求項２】
請求項１に記載の画像形成装置において、
媒体に定着された機密情報を含む現像剤像の位置情報を記憶する記憶部を有し、
前記定着部は、媒体を第１の方向に搬送しながら現像剤像を媒体に定着させ、
前記制御部は、
外部装置から受信した印刷データで指示された機密情報を含む現像剤像の位置情報を前記記憶部に記憶させておき、
前記判定部により前記正規操作者によって受け取られなかったと判定された場合、前記記憶部に記憶された機密情報を含む現像剤像の位置情報に基づいて定着後の前記現像剤像が前記定着装置に到達するまで媒体を前記第１の方向とは逆の第２の方向に逆搬送することを特徴とする画像形成装置。
【請求項３】
請求項２に記載の画像形成装置において、
前記制御部は、媒体を逆搬送しながら機密情報を含む現像剤像を前記定着装置で破壊することを特徴とする画像形成装置。
【請求項４】
請求項３に記載の画像形成装置において、
前記制御部は、機密情報を含む現像剤像を前記定着装置で破壊した後、さらに前記第２の方向における媒体の後端部が前記定着装置に到達するまで逆搬送することを特徴とする画像形成装置。
【請求項５】
請求項４に記載の画像形成装置において、
前記画像形成部は、前記第１の方向における媒体の先端部側に機密情報を含まない現像剤像を形成し、媒体の後端部側に機密情報を含む現像剤像を形成することを特徴とする画像形成装置。
【請求項６】
請求項２に記載の画像形成装置において、
前記制御部は、前記定着装置まで逆搬送した媒体を第１の方向に搬送しながら機密情報を含む現像剤像を前記定着装置で破壊することを特徴とする画像形成装置。
【請求項７】
請求項６に記載の画像形成装置において、
前記制御部は、機密情報を含む現像剤像を前記定着装置で破壊した後、さらに前記第１の方向における媒体の後端部が前記定着装置を通過するまで第１の方向に搬送することを特徴とする画像形成装置。
【請求項８】
請求項７に記載の画像形成装置において、
前記画像形成部は、前記第１の方向における媒体の先端部側に機密情報を含む現像剤像を形成し、後端部側に機密情報を含まない現像剤像を形成することを特徴とする画像形成装置。
【請求項９】
請求項１から請求項８のいずれか１項に記載の画像形成装置において、
前記定着部は、第１の所定の温度で現像剤像を媒体に定着させ、
前記制御部は、前記第１の所定の温度より高い第２の所定の温度で、媒体に定着された現像剤を剥離して現像剤像を破壊することを特徴とする画像形成装置。
【請求項１０】
請求項９に記載の画像形成装置において、
前記定着装置は、
媒体に形成された現像剤像と接触して該現像剤像を加熱する加熱部材と、
媒体から剥離して前記加熱部材に付着した現像剤を除去するクリーニング部材と、
を有することを特徴とする画像形成装置。
【請求項１１】
請求項１から請求項１０のいずれか１項に記載の画像形成装置において、
現像剤像が破壊された媒体を搬送する搬送路と、
前記搬送路で搬送された媒体を収容する収容部と、
を有することを特徴とする画像形成装置。
【請求項１２】
請求項１から請求項１１のいずれか１項に記載の画像形成装置において、
前記所定の条件は、前記定着部で保持された媒体が前記機密情報を閲覧することが許可された正規操作者に受け取られたか否かの条件であり、
前記制御部は、前記定着部で保持された媒体が、前記判定部により前記正規操作者に受け取られなかったと判定された場合、機密情報を含む現像剤像を前記定着装置で再加熱して破壊することを特徴とする画像形成装置。
【請求項１３】
請求項１２に記載の画像形成装置において、
前記所定の条件は、前記定着部で保持された媒体が所定の時間内に受け取られたか否かの条件であり、
前記制御部は、前記定着部で保持された媒体が、前記判定部により前記所定の時間内に受け取られなかったと判定された場合、機密情報を含む現像剤像を前記定着装置で再加熱して破壊することを特徴とする画像形成装置。
【請求項１４】
請求項１から請求項１３のいずれか１項に記載の画像形成装置において、
前記定着部で保持された媒体は、装置の内部に収容されていることを特徴とする画像形成装置。
【請求項１５】
請求項１から請求項１３のいずれか１項に記載の画像形成装置において、
前記定着部で保持された媒体は、先端部が装置外に配置されることを特徴とする画像形成装置。
【発明の詳細な説明】
【技術分野】
【０００１】
本発明は、機密情報を含む画像を形成する画像形成装置に関する。
【背景技術】
【０００２】
従来の画像形成装置は、内部に滞留した媒体を除去するための開口部とその開口部を開閉するための開閉蓋とを有し、印刷データが機密文書である場合、開閉蓋を閉状態に保持するようにしている（例えば、特許文献１参照）。
【先行技術文献】
【特許文献】
【０００３】
【特許文献１】特開２０１０−３０２５２号公報
【発明の概要】
【発明が解決しようとする課題】
【０００４】
しかしながら、従来の技術においては、機密情報を含む画像が印刷された媒体を、その機密情報を扱うことができる正規ユーザ以外の者が受け取った場合、機密情報が外部に漏れてしまうという問題がある。
本発明は、このような問題を解決することを課題とし、機密情報を含む画像を印刷した場合に、機密情報が外部に漏れることを抑制することを目的とする。
【課題を解決するための手段】
【０００５】
そのため、本発明は、媒体を搬送する搬送部と、前記搬送部で搬送された媒体に機密情報を含む現像剤像を形成する画像形成部と、前記画像形成部で媒体に形成された現像剤像を加熱する定着装置により該現像剤像を媒体に定着させ、定着後の媒体の搬送を停止して保持する定着部と、前記定着部で保持された媒体が所定の条件の下で受け取られたか否かを判定する判定部と、前記搬送部、前記画像形成部、前記定着部、および前記判定部を制御する制御部と、を有し、前記制御部は、前記判定部の判定結果に基づいて前記定着部で保持された媒体の機密情報を含む現像剤像を前記定着装置で再加熱して破壊することを特徴とする。
【発明の効果】
【０００６】
このようにした本発明は、機密情報を含む画像を印刷した場合に、機密情報が外部に漏れることを抑制することができるという効果が得られる。
【図面の簡単な説明】
【０００７】
【図１】第１の実施例における画像形成装置の構成を示す概略側断面図
【図２】第１の実施例における定着装置の構成を示す概略側断面図
【図３】第１の実施例における画像形成装置の制御構成を示すブロック図
【図４】第１の実施例における印刷処理の流れを示すフローチャート
【図５】第１の実施例における媒体の機密情報位置を示す説明図
【図６】第１の実施例における機密情報破壊動作を示す説明図
【図７】第１の実施例における機密情報の画像形成位置を示す説明図
【図８】第１の実施例における媒体の停止位置を示す説明図
【図９】第２の実施例における画像形成装置の構成を示す概略側断面図
【図１０】第２の実施例における印刷処理の流れを示すフローチャート
【図１１】変形例における画像形成装置の構成を示す概略側断面図
【発明を実施するための形態】
【０００８】
以下、図面を参照して本発明による画像形成装置の実施例を説明する。
【実施例１】
【０００９】
図１は第１の実施例における画像形成装置の構成を示す概略側断面図である。
【００１０】
図１において、画像形成装置１は、現像剤としてのトナーを媒体に定着させる定着装置を有し、媒体に現像剤像としてのトナー像を形成して印刷を行う印刷装置であり、例えば電子写真方式のプリンタである。本実施例の画像形成装置１は、カラー画像を媒体に形成するカラープリンタとして説明するが、単色の画像を媒体に形成するモノクロプリンタであっても良い。
本実施例の画像形成装置１は、予め所定の大きさに切断されたチケット類等の媒体に、個人情報等を表す機密情報としてバーコードや２次元コード等の画像を印刷するものとして説明する。なお、機密情報を媒体に印刷するものであれば、バーコードや２次元コード等をチケット類に印刷するものに限られるものではない。
【００１１】
画像形成装置１は、給紙カセット１０１と、給紙ローラ１０２と、レジストローラ１０３と、転写装置１０５と、現像装置１０６（１０６ＢＫ、１０６Ｙ、１０６Ｍ、１０６Ｃ）と、定着装置１２０と、排出ローラ１０８と、媒体排出口１０９と、排紙積載部１１０とを有している。
給紙カセット１０１は、内部に媒体Ｐを積層して収容するものである。
給紙ローラ１０２は、回転することにより、給紙カセット１０１に収容された媒体Ｐを１枚ずつ分離して図中矢印Ａが示す媒体搬送方向へ送り出すものである。
【００１２】
レジストローラ１０３は、給紙ローラ１０２により送り出された媒体Ｐを現像装置１０６による現像タイミングに合わせて転写装置１０５と現像装置１０６とが対向する転写領域へ供給するものである。レジストローラ１０３は、対向する二つのローラで媒体Ｐを挟持して回転することにより媒体搬送方向へ搬送し、転写装置１０５と現像装置１０６とが対向する転写領域へ供給する。
【００１３】
転写装置１０５は、媒体搬送方向におけるレジストローラ１０３の下流であって現像装置１０６と対向する位置に配設され、レジストローラ１０３で搬送された媒体Ｐを媒体搬送方向の下流に搬送するとともに、現像装置１０６で形成されたトナー像を媒体Ｐに転写するものである。
転写装置１０５は、張架ローラ１０５２および張架ローラ１０５３に張架された無端状の転写ベルト１０５１を有し、張架ローラ１０５２および張架ローラ１０５３の駆動、または張架ローラ１０５２および張架ローラ１０５３のどちらか一方の駆動により転写ベルト１０５１が図中矢印Ａで示す媒体搬送方向へ回転するように構成されている。
【００１４】
また、転写ベルト１０５１は、現像装置１０６（１０６ＢＫ、１０６Ｙ、１０６Ｍ、１０６Ｃ）の感光ドラムと対向するように配置され、回転することにより媒体搬送方向へ媒体Ｐを搬送し、また感光ドラムに形成されたトナー像を媒体Ｐに転写する。
現像装置１０６（１０６ＢＫ、１０６Ｙ、１０６Ｍ、１０６Ｃ）は、トナーの色毎に、媒体搬送方向の上流から順に現像装置１０６Ｃ、現像装置１０６Ｍ、現像装置１０６Ｙ、現像装置１０６ＢＫが配設されている。
【００１５】
現像装置１０６Ｃ、現像装置１０６Ｍ、現像装置１０６Ｙ、現像装置１０６ＢＫは、それぞれシアン、マゼンタ、イエロー、ブラックの各色のトナー像を形成する。現像装置１０６Ｃ、現像装置１０６Ｍ、現像装置１０６Ｙ、現像装置１０６ＢＫは、取り扱うトナーの色が異なるだけでその構成は同様なので、以下に現像装置１０６Ｃの構成を代表して説明する。
現像装置１０６Ｃは、回転可能な像担持体としての感光ドラム１０６１Ｃと、その感光ドラム１０６１Ｃの回転方向（図中矢印Ｂが示す回転方向）において順に配置された帯電装置１０６２Ｃ、露光装置１０６３Ｃ、現像剤供給装置１０６４Ｃ、およびクリーニング装置１０６５Ｃとを有している。なお、本実施例では、像担持体をドラム状のものとして説明するが、ベルト状のものとしても良い。
【００１６】
帯電装置１０６２Ｃは、感光ドラム１０６１Ｃの表面を一様に帯電させる帯電手段であり、例えば帯電ローラである。
露光装置１０６３Ｃは、帯電装置１０６２Ｃにより一様に帯電された感光ドラム１０６１Ｃの表面を露光して感光ドラム１０６１Ｃの表面に静電潜像を形成する露光手段である。露光装置１０６３Ｃは、例えばＬＥＤ（Ｌｉｇｈｔ  Ｅｍｉｔｔｉｎｇ  Ｄｉｏｄｅ）ヘッドであり、帯電装置１０６２Ｃと現像剤供給装置１０６４Ｃとの間において、印刷データに応じて選択的に露光して感光ドラム１０６１Ｃの表面に静電潜像を形成する。
【００１７】
現像剤供給装置１０６４Ｃは、露光装置１０６３Ｃにより感光ドラム１０６１Ｃの表面に形成された静電潜像にトナーを供給してトナー像を形成する現像手段である。
クリーニング装置１０６５Ｃは、感光ドラム１０６１Ｃの表面に形成されたトナー像が転写装置１０５により媒体Ｐに転写された後の感光ドラム１０６１Ｃの表面の転写残トナーを除去するクリーニング手段である。クリーニング装置１０６５Ｃは、例えば感光ドラム１０６１Ｃの表面に接触するように配置されたクリーニングブレードである。
【００１８】
定着装置１２０は、媒体搬送方向における転写装置１０５および現像装置１０６の下流に配置され、転写装置１０５により現像装置１０６から媒体Ｐに転写されたトナーを熱と圧力で媒体Ｐに定着させる定着手段である。
【００１９】
定着装置１２０は、加熱部材によって加熱され、回転可能な無端状の定着ベルト１２４と、定着ベルト１２４と対向して配置され、回転可能な定着駆動ローラ１２５と有し、定着ベルト１２４と定着駆動ローラ１２５との間に形成された接触領域（以下、「ニップ領域」という。）で媒体Ｐを挟持して搬送するとともに、熱と圧力で媒体Ｐに転写されたトナーを定着させる。また、定着装置１２０は、媒体搬送方向における定着ベルト１２４および定着駆動ローラ１２５の下流に媒体Ｐを搬送する媒体搬送部材としての定着搬送ローラ１２７および押圧ローラ１２８が配置されている。なお、定着装置１２０の詳細な構成は後述する。
【００２０】
排出ローラ１０８は、媒体搬送方向における定着装置１２０の下流に配置され、定着装置１２０の定着搬送ローラ１２７および押圧ローラ１２８で搬送された媒体Ｐをさらに媒体搬送方向に搬送し、媒体排出口１０９へ搬送するものである。
本実施例の転写装置１０５、現像装置１０６（１０６ＢＫ、１０６Ｙ、１０６Ｍ、１０６Ｃ）、および定着装置１２０の各ローラ、並びに排出ローラ１０８は正回転および逆回転可能に構成されており、媒体Ｐを媒体搬送方向およびその反対方向に搬送することが可能になっている。
【００２１】
媒体排出口１０９は、媒体搬送方向における排出ローラ１０８の下流に形成された開口部であり、排出ローラ１０８により搬送された媒体Ｐが通過するものである。
排紙積載部１１０は、媒体排出口１０９を通過し、装置外へと排出された印刷後の媒体Ｐを積載して収容するものである。排紙積載部１１０は、媒体排出口１０９から排出された媒体Ｐの印刷面（トナーが定着された面）を下方として媒体Ｐを積載する。
【００２２】
図２は第１の実施例における定着装置の構成を示す概略側断面図である。
図２において、定着装置１２０は、媒体に形成されたトナー像を加熱するものであり、ヒータ１２１と、ヒータ保持部材１２２と、サーミスタ１２３と、定着ベルト１２４と、定着駆動ローラ１２５と、定着搬送ローラ１２７と、押圧ローラ１２８とを有している。
【００２３】
ヒータ１２１は、定着ベルト１２４を加熱するものであり、抵抗発熱体を有し、制御部の制御により抵抗発熱体に電流が流されることで抵抗発熱体が発熱する。なお、ヒータ１２１は、ハロゲンランプやＩＨ（Ｉｎｄｕｃｔｉｏｎ  Ｈｅａｔｉｎｇ）による加熱部材としても良い。
【００２４】
ヒータ保持部材１２２は、ヒータ１２１を保持するものである。
サーミスタ１２３は、ヒータ１２１の温度を検知する温度検知手段であり、ヒータ１２１と接触するように配設されている。サーミスタ１２３で検知したヒータ１２１の温度に基づいて制御部がヒータ１２１の抵抗発熱体に流す電流を制御することにより、ヒータ１２１の温度は所定の温度になるように制御される。したがって、ヒータ１２１の温度を制御することにより、定着ベルト１２４の温度を所定の温度になるように制御することができるようになっている。
【００２５】
加熱部材としての定着ベルト１２４は、無端状のベルトであり、図中矢印Ｃが示す正回転方向およびその逆の逆回転方向の両回転方向に回転可能に支持されたものである。定着ベルト１２４は、回転方向と直交する長手方向の両端部が固定部材により保持されており、長手方向の変位が規制された状態で回転運動が可能に構成されている。定着ベルト１２４は、媒体に形成されたトナー像と接触して該トナー像を加熱する。
【００２６】
定着駆動ローラ１２５は、図中矢印Ｄが示す正回転方向およびその逆の逆回転方向の両回転方向に回転可能に支持されたものである。定着駆動ローラ１２５は、回転方向と直交する回転軸方向の長手方向の両端部が軸受けにより保持されており、長手方向の変位が規制された状態で回転運動が可能に構成されている。定着駆動ローラ１２５は、モータ等の駆動源から動力が付与されることにより図中矢印Ｄが示す正回転方向およびその逆の逆回転方向に回転する。なお、定着ベルト１２４は、定着駆動ローラ１２５の回転に従動して回転する。
【００２７】
定着駆動ローラ１２５と定着ベルト１２４は、加圧機構により加圧されて接触し、定着駆動ローラ１２５と定着ベルト１２４との間のニップ領域１２６で媒体Ｐを挟持して搬送するとともに、熱と圧力で媒体Ｐに転写されたトナーを定着させる。定着駆動ローラ１２５と定着ベルト１２４は、図中矢印Ｃおよび矢印Ｄが示す正回転方向に回転することにより媒体を図中矢印Ａが示す媒体搬送方向へ搬送し、逆回転することにより媒体を図中矢印Ｅが示す逆媒体搬送方向へ搬送（逆搬送）する。
【００２８】
定着駆動ローラ１２５は、例えば中心部を鉄製の芯金で構成され、その芯金の外層にシリコンゴムの弾性層を有し、表層がＰＦＡチューブに覆われたものである。
なお、本実施例では、ニップ領域１２６の上方に定着ベルト１２４、下方に定着駆動ローラ１２５を配置した構成としたが、ニップ領域１２６の下方に定着ベルト１２４、上方に定着駆動ローラ１２５を配置した構成としても良い。
また、ヒータ１２１で加熱する部材を定着ベルト１２４としたが、ローラ部材等であっても良い。
【００２９】
定着搬送ローラ１２７は、媒体搬送方向における定着ベルト１２４および定着駆動ローラ１２５の下流に配置され、図中矢印Ｃが示す正回転方向およびその逆の逆回転方向の両回転方向に回転可能に支持されたものである。
押圧ローラ１２８は、定着搬送ローラ１２７と対向し、定着搬送ローラ１２７に押圧されるように配置され、定着搬送ローラ１２７との間のニップ領域１２９で媒体Ｐを挟持して搬送するものである。押圧ローラ１２８は、図中矢印Ｄが示す正回転方向およびその逆の逆回転方向の両回転方向に回転可能に支持され、定着搬送ローラ１２７の回転に従動して回転する。
【００３０】
図３は第１の実施例における画像形成装置の制御構成を示すブロック図である。
図３において、画像形成装置１は、制御部２００と、記憶部２１０と、搬送部２２０と、画像形成部２３０と、定着部２４０と、機密情報処理部２５０と、判定部２６０と、操作表示部２７０とを有している。
【００３１】
制御部２００は、ＣＰＵ（Ｃｅｎｔｒａｌ  Ｐｒｏｃｅｓｓｉｎｇ  Ｕｎｉｔ）等の制御手段を備えたものであり、記憶部２１０、搬送部２２０、画像形成部２３０、定着部２４０、機密情報処理部２５０、および判定部２６０を制御し、画像形成装置１全体の動作を制御する。
【００３２】
制御部２００は、通信回線２を介して接続された外部装置（例えば、ホストコンピュータ等）から受信した印刷データに従って媒体にトナー像を形成して印刷を行う。
制御部２００は、バーコードや２次元コード等の機密情報の画像が含まれた印刷データを機密文書として印刷する。なお、機密情報の画像は、バーコードや２次元コード等に限られるものでなく、文字や図形、写真画像等であっても良い。
【００３３】
また、本実施例では、外部装置から送信される印刷データに、機密文書の印刷を指示した印刷者やその機密文書（機密情報）を扱うことを許可された操作者を識別する正規操作者識別情報としてのユーザＩＤが含まれている。
なお、制御部２００は、タイマ等の計時手段を備えている。
【００３４】
記憶部２１０は、メモリ等の記憶手段で構成され、画像形成装置１全体の動作を制御するための制御プログラム（ソフトウェア）やその制御に必要な各種情報等を記憶するものである。制御部２００は、記憶部２１０に記憶された制御プログラムに基づいて画像形成装置１全体の動作を制御する。
また、記憶部２１０は、図１に示す媒体Ｐに印刷される機密情報を含むトナー像の媒体Ｐにおける印刷位置（以下、「機密情報の印刷位置」ともという。）の情報を記憶する。
【００３５】
機密情報の印刷位置の情報は、外部装置から送信される印刷データに含まれる機密情報の印刷位置の情報に基づいて記憶される情報である。例えば、印刷データで指示される２次元コードの印刷位置（媒体における座標）および大きさ（媒体搬送方向の長さおよび媒体搬送方向に直交する方向の幅）の情報を機密情報の印刷位置の情報とする。
【００３６】
さらに、記憶部２１０は、ユーザＩＤと、パスワード等の認証コードとを関連付けて予め記憶する。
搬送部２２０は、図１に示す給紙ローラ１０２、レジストローラ１０３、および転写装置１０５の各ローラ、並びに排出ローラ１０８の回転を制御して媒体Ｐを搬送するものである。
搬送部２２０は、転写装置１０５のローラ、および排出ローラ１０８を回転駆動するモータの回転方向を制御することにより、図１に示す媒体Ｐを媒体搬送方向（第１の方向）およびその反対の逆媒体搬送方向（第２の方向）に搬送する。
【００３７】
また、搬送部２２０は、媒体搬送路に複数配置された媒体検知センサで媒体の位置を検出するとともに、モータの回転量を制御してモータの回転を停止させることにより、媒体Ｐを任意の位置で停止させることができるようになっている。
画像形成部２３０は、転写装置１０５および現像装置１０６を制御して搬送部２２０で媒体搬送方向に搬送される媒体にトナー像を転写して形成するものである。本実施例の画像形成部２３０は、機密情報を含むトナー像を媒体に形成する。
【００３８】
定着部２４０は、定着装置１２０のヒータ１２１、定着駆動ローラ１２５、および定着搬送ローラ１２７を制御し、画像形成部２３０で媒体に転写されたトナー像を定着させるものである。定着部２４０は、図１および図２に示す定着装置１２０のヒータ１２１を所定の定着温度まで加熱し、定着駆動ローラ１２５で媒体搬送方向に媒体を搬送させながら、ヒータ１２１で加熱された定着ベルト１２４で媒体Ｐに転写されたトナーを溶融、加圧することにより定着させる。
【００３９】
また、定着部２４０は、モータの回転量を制御してモータの回転を停止させることにより、媒体Ｐを任意の位置で停止させることができるようになっている。
本実施例の定着部２４０は、図１および図２に示す定着搬送ローラ１２７および押圧ローラ１２８の回転を停止し、定着後の媒体Ｐの搬送を停止して定着搬送ローラ１２７および押圧ローラ１２８で媒体搬送方向における媒体Ｐの後端部を挟持して保持する。
【００４０】
現像剤像破壊部としての機密情報処理部２５０は、定着装置１２０のヒータ１２１、定着駆動ローラ１２５、および定着搬送ローラ１２７を制御し、画像形成部２３０で媒体に転写されたトナー像を再加熱して破壊し、破損させるものである。機密情報処理部２５０は、図１および図２に示す定着装置１２０のヒータ１２１を定着温度（第１の所定の温度）より高い所定の温度（第２の所定の温度）まで加熱し、定着駆動ローラ１２５で逆媒体搬送方向に媒体を搬送するとともに、ヒータ１２１で加熱された定着ベルト１２４で媒体Ｐに定着されたトナーを融解することにより機密情報を含むトナー像を不安定な状態にさせ、剥離して定着ベルト１２４に付着させる。
【００４１】
また、機密情報処理部２５０は、定着装置１２０の定着駆動ローラ１２５、および定着搬送ローラ１２７を回転駆動するモータの回転方向を制御することにより、図１に示す媒体Ｐを媒体搬送方向（第１の方向）およびその反対の逆媒体搬送方向（第２の方向）に搬送する。
さらに、機密情報処理部２５０は、モータの回転量を制御してモータの回転を停止させることにより、媒体Ｐを任意の位置で停止させることができるようになっている。
【００４２】
判定部２６０は、定着部２４０でトナーが定着され、保持された媒体が、所定の条件の下で受け取られたか否か、即ち正規操作者としての正規ユーザによって排出されて受け取られたか否かを判定するものである。ここで、正規操作者とは、媒体に印刷された機密情報を閲覧することが許可されたユーザである。
【００４３】
操作表示部２７０は、各種情報を表示する出力（表示）手段としてのディスプレイ等と、操作者の入力操作を受け付ける入力手段としてのキーやタッチパネル等とにより構成されたものである。
判定部２６０は、操作表示部２７０で入力されたユーザＩＤおよび認証コードと、印刷データに含まれたユーザＩＤおよび記憶部２１０に記憶された認証コードとに基づいて本人認証としての正規操作者認証を行う。
【００４４】
判定部２６０は、操作表示部２７０で入力されたユーザＩＤが印刷データに含まれたユーザＩＤと一致し、さらに当該ユーザＩＤに基づいて記憶部２１０から抽出した認証コードと操作表示部２７０で入力された認証コードが一致することを確認して正規操作者認証を行う。
【００４５】
判定部２６０は、操作表示部２７０で入力されたユーザＩＤが印刷データに含まれたユーザＩＤと一致し、さらに当該ユーザＩＤに基づいて記憶部２１０から抽出した認証コードと操作表示部２７０で入力された認証コードが一致することを確認した場合、正規操作者認証に成功したと判定する。
【００４６】
一方、判定部２６０は、操作表示部２７０で入力されたユーザＩＤが印刷データに含まれたユーザＩＤと一致しない場合、または操作表示部２７０で入力された認証コードとユーザＩＤに基づいて記憶部２１０から抽出した認証コードとが一致しない場合、正規操作者認証に失敗したと判定する。
【００４７】
このように構成された画像形成装置１は、制御部２００の制御により、判定部２６０の判定結果に基づいて媒体の機密情報を含むトナー像を定着装置１２０で再加熱して破壊する。
本実施例では、画像形成装置１の制御部２００は、定着装置１２０で保持された媒体が、判定部２６０により正規操作者に受け取られなかったと判定された場合、機密情報を含む現像剤像を定着装置１２０で再加熱して破壊する。
【００４８】
上述した構成の作用について説明する。
【００４９】
画像形成装置が行う印刷処理を図４の第１の実施例における印刷処理の流れを示すフローチャートの図中Ｓで表すステップに従って図１、図２、図３、図５および図６を参照しながら説明する。
【００５０】
Ｓ１０１：画像形成装置１の制御部２００は、通信回線２を介して外部装置から印刷命令としての印刷データを受信する。制御部２００は、外部装置から受信した印刷データで指示された機密情報を含むトナー像を印刷する位置の情報（機密情報の位置情報）を記憶部２１０に記憶させておく。
【００５１】
Ｓ１０２：印刷データを受信した制御部２００は、搬送部２２０を制御して給紙カセット１０１に積層されて収容されている媒体Ｐを給紙ローラ１０２で１枚ずつ分離して給紙し、レジストローラ１０３へ搬送して、さらに画像形成タイミングに合わせてレジストローラ１０３により転写装置１０５および現像装置１０６へ搬送する。
【００５２】
Ｓ１０３：このとき、制御部２００は、画像形成部２３０により、現像装置１０６および転写装置１０５を制御してトナー像を形成する。
【００５３】
画像形成部２３０は、現像装置１０６Ｃの感光ドラム１０６１Ｃを図１中の矢印Ｂが示す回転方向へ回転させ、帯電装置１０６２Ｃで感光ドラム１０６１Ｃの表面を一様に帯電させる。画像形成部２３０は、露光装置１０６３Ｃにより、帯電された感光ドラム１０６１Ｃの表面を印刷データに応じて選択的に露光し、静電潜像を形成した後、現像装置１０６４Ｃにより、感光ドラム１０６１Ｃの表面に形成された静電潜像にトナーを供給して現像する。
【００５４】
画像形成部２３０は、転写装置１０５の転写電圧等を制御して感光ドラム１０６１Ｃの表面に現像されたトナー像を図１中の矢印Ａが示す媒体搬送方向に搬送される媒体Ｐに転写する。
トナー像が媒体Ｐに転写された後、感光ドラム１０６１Ｃの表面に残留したトナーがクリーニング装置１０６５Ｃによって掻き取られて感光ドラム１０６１Ｃの表面がクリーニングされ、その後、感光ドラム１０６１Ｃは帯電装置１０６２Ｃによる次の帯電に供される。
【００５５】
現像装置１０６Ｃおよび転写装置１０５でシアンのトナー像が転写された媒体Ｐは、媒体搬送方向に搬送され、現像装置１０６Ｃと同様の現像工程を行う現像装置１０６Ｍ、現像装置１０６Ｙ、現像装置１０６ＢＫおよび転写装置１０５により、マゼンタ、イエロー、ブラックの各色のトナー像が転写され、画像形成に必要なすべてのトナー像が転写された後、転写装置１０５から定着装置１２０へ搬送される。
【００５６】
Ｓ１０４：制御部２００は、定着部２４０により、定着装置１２０のヒータ１２１をＯＮ状態としてヒータ１２１の加熱を行う。
【００５７】
定着部２４０は、定着装置１２０の定着ベルト１２４によりトナー像が媒体Ｐに熱圧着するのに必要十分な熱量を得られるようにするため、ヒータ１２１に電流を流す制御を行い、ヒータ１２１の抵抗発熱体を発熱させて定着ベルト１２４が第１の所定の温度（例えば、１６０〜１８０℃）になるように加熱する。
【００５８】
なお、定着ベルト１２４の加熱は、Ｓ１０４の画像形成を行った後に行うように説明したが、Ｓ１０４の画像形成と並行して行うようにしても良く、また画像形成前に行うようにしても良い。
【００５９】
Ｓ１０５：定着ベルト１２４が所定の温度になるように加熱した制御部２００は、定着部２４０により、定着装置１２０の定着駆動ローラ１２５および定着搬送ローラ１２７を図２中の矢印Ｄが示す回転方向へ回転させ、ニップ領域１２６において、現像装置１０６および転写装置１０５から搬送された媒体Ｐに転写されたトナー像を定着ベルト１２４および定着駆動ローラ１２５により熱圧着し、定着させる。
【００６０】
Ｓ１０６：制御部２００は、定着部２４０により、定着装置１２０のヒータ１２１をＯＦＦ状態としてヒータ１２１の加熱を停止する。
【００６１】
定着部２４０は、ヒータ１２１に流す電流を停止し、ヒータ１２１の抵抗発熱体の発熱を停止させる。
【００６２】
Ｓ１０７：制御部２００は、定着部２４０により、媒体Ｐにトナー像を定着させた後、定着搬送ローラ１２７と押圧ローラ１２８とにより媒体Ｐの後端部を挟持した状態で定着装置１２０の定着駆動ローラ１２５および定着搬送ローラ１２７の回転を停止させ、媒体Ｐの搬送を停止する。
【００６３】
このとき、媒体Ｐは、図８に示すように、後端部が定着搬送ローラ１２７と押圧ローラ１２８とにより挟持され、媒体搬送方向における先端部が媒体排出口１０９より画像形成装置１の内部に収容された状態で停止する。したがって、ユーザは印刷された媒体Ｐを受け取ることができないようになっている。
本実施例では、画像形成部２３０により形成された媒体Ｐの画像は、例えば図５に示すように、図中矢印Ａが示す媒体搬送方向における先端部側に機密情報を含まない非機密情報領域ＮＳの画像が形成され、後端部側に機密情報を含む機密情報領域ＳＣの画像が形成されるものとする。
【００６４】
Ｓ１０８：制御部２００は、判定部２６０により、正規操作者認証を行い、正規ユーザにより媒体の排出が指示されたか否かを判定する。
【００６５】
本実施例では、操作表示部２７０により、操作者によるユーザＩＤおよび認証コードの入力操作を受け付け、判定部２６０が、印刷データに含まれたユーザＩＤと一致したユーザＩＤであって、操作表示部２７０で入力されたユーザＩＤに基づいて記憶部２１０を検索し、操作表示部２７０で入力された認証コードと記憶部２１０に既に記憶されている認証コードとが一致するか否かを判定し、一致すれば正規操作者認証に成功した正規のユーザによる媒体搬出の指示であると判定し、不一致であれば非正規ユーザによる媒体搬出の指示であると判定する。
【００６６】
また、判定部２６０は、定着搬送ローラ１２７と押圧ローラ１２８とにより媒体Ｐの後端部を挟持した状態が所定時間経過しても正規のユーザによる媒体搬出の指示が行われなかった場合、正規のユーザによる媒体搬出の指示がなかったと判定する。
なお、所定時間は、例えば３分から５分程度の時間とする。
制御部２００は、判定部２６０により、正規ユーザにより媒体の排出が指示されたと判定、即ち正規ユーザによって媒体Ｐが受け取られたと判定すると処理をＳ１１５へ移行し、正規操作者認証に失敗または所定時間経過しても正規ユーザにより媒体の排出の指示がなかったと判定すると処理をＳ１０９へ移行する。
【００６７】
Ｓ１０９：制御部２００は、判定部２６０により、非正規ユーザによる媒体の排出が指示または所定時間経過しても正規ユーザにより媒体の排出の指示がなかったと判定すると、機密情報処理部２５０により、定着装置１２０の定着駆動ローラ１２５および定着搬送ローラ１２７を逆回転させて、媒体Ｐをニップ領域１２６へ搬送する逆搬送を開始する。
【００６８】
例えば、図６（ａ）に示すように、定着装置１２０の定着駆動ローラ１２５および定着搬送ローラ１２７を逆回転させて、媒体Ｐを図中矢印Ｅが示す逆媒体搬送方向へ搬送する。
【００６９】
Ｓ１１０：制御部２００は、機密情報処理部２５０により、記憶部２１０に記憶した機密情報の位置情報に基づいて媒体Ｐに印刷されている機密情報領域として機密情報の画像の位置（機密情報のトナー像の印刷位置（座標）および大きさ）を認識し、逆媒体搬送方向において機密情報の画像（例えば、図５に示す機密情報領域ＳＣ）の先端部がニップ領域１２６に挟持される位置に到達したか否かを判定し、到達したと判定すると処理をＳ１１１へ移行し、到達していない場合は本判定を継続して行う。
【００７０】
Ｓ１１１：制御部２００は、図６（ｂ）に示すように、逆媒体搬送方向において機密情報の画像の先端部がニップ領域１２６に挟持される位置に到達したと判定すると、機密情報処理部２５０により、定着装置１２０のヒータ１２１をＯＮ状態としてヒータ１２１の高加熱を行う。
【００７１】
機密情報処理部２５０は、定着装置１２０の定着ベルト１２４によりトナー像が媒体Ｐに熱圧着するのに必要な熱量以上の熱量が得られるように、ヒータ１２１に電流を流す制御を行い、ヒータ１２１の抵抗発熱体を発熱させて定着ベルト１２４が第２の所定の温度になるように高加熱する。
【００７２】
第２の所定の温度は、Ｓ１０４における第１の所定の温度より高い温度（例えば、２２０〜２５０℃）である。定着ベルト１２４が第２の所定の温度になった状態でトナー像を加熱することにより、媒体Ｐにトナー像に熱圧着に必要な熱量以上の熱量を供給することができ、トナー像を再度溶融し、媒体Ｐへの付着を不安定な状態にすることができる。
【００７３】
なお、本実施例の定着装置１２０のヒータ１２１はニップ領域１２６の近傍において定着ベルト１２４を加熱するようにしているため、逆媒体搬送方向において機密情報の画像の先端部がニップ領域１２６に挟持される位置に到達してからヒータ１２１による加熱を開始しても十分に定着ベルト１２４を第２の所定の温度に加熱することができる。
【００７４】
制御部２００は、機密情報処理部２５０により、定着ベルト１２４が第２の所定の温度になった状態で、媒体Ｐを逆媒体搬送方向へ搬送しながら、溶融したトナー像を媒体Ｐから剥離させて機密情報を含むトナー像を破壊する。なお、媒体Ｐから剥離したトナーは定着ベルト１２４に付着する。
【００７５】
Ｓ１１２：制御部２００は、機密情報処理部２５０により、記憶部２１０に記憶した機密情報の位置情報に基づいて媒体Ｐに印刷されている機密情報領域として機密情報の画像の位置（機密情報の画像の印刷位置（座標）および大きさ）を認識し、逆媒体搬送方向において機密情報の画像（例えば、図５に示す機密情報領域ＳＣ）の後端部がニップ領域１２６に挟持される位置を通過したか否かを判定し、通過したと判定すると処理をＳ１１３へ移行し、到達していない場合は本判定を継続して行う。
【００７６】
Ｓ１１３：制御部２００は、図６（ｃ）に示すように、逆媒体搬送方向において機密情報の画像の後端部がニップ領域１２６に挟持される位置を通過したと判定すると、機密情報処理部２５０により、定着装置１２０のヒータ１２１をＯＦＦ状態としてヒータ１２１の加熱を停止する。
【００７７】
Ｓ１１４：制御部２００は、図６（ｄ）に示すように、逆媒体搬送方向において媒体Ｐの後端部がニップ領域１２６に挟持される位置に到達したと判定すると、機密情報処理部２５０により、定着装置１２０の定着駆動ローラ１２５および定着搬送ローラ１２７の逆回転を停止し、媒体Ｐの逆搬送を停止する。
【００７８】
このように、制御部２００は、機密情報を含むトナー像を機密情報処理部２５０で破壊した後、さらに逆媒体搬送方向における媒体の後端部が着装置１２０のニップ領域１２６に到達するまで逆搬送する。
このとき、定着ベルト１２４に付着した機密情報の画像（例えば、図５に示す機密情報領域ＳＣ）のトナーが非機密情報（例えば、図５に示す非機密情報領域ＮＳ）の画像や余白に付着し、定着ベルト１２４に付着したトナーが除去される。
【００７９】
Ｓ１１５：制御部２００は、定着部２４０により、定着装置１２０の定着駆動ローラ１２５および定着搬送ローラ１２７を正回転方向に回転させ、また搬送部２２０により、排出ローラ１０８を回転させて媒体Ｐを媒体搬送方向へ搬送し、排紙積載部１１０へ排出して本処理を終了する。
【００８０】
このとき、Ｓ１１２においてトナー像が破壊された媒体Ｐは、トナー像が破壊された状態、即ち機密情報が判別できない状態で排紙積載部１１０へ排出される。
このように、本実施例の制御部２００は、機密情報を含むトナー像が定着された媒体Ｐが、判定部２６０により機密情報を閲覧することが許可された正規ユーザに受け取られなかったと判定された場合、機密情報を含むトナー像を機密情報処理部２５０の制御により定着装置１２０のニップ領域１２６において再加熱して破壊するようにしたことにより、機密情報を含む画像を印刷した場合に、機密情報が外部に漏れることを抑制し、機密性を高めることができる。
【００８１】
また、機密情報を含む画像を破壊する特別な装置を設ける必要がなくなり、画像形成装置の製造コストの上昇を抑制することができる。
なお、本実施例では、図６に示すように、媒体Ｐを図中矢印Ｅが示す逆媒体搬送方向に搬送しながら機密情報の画像を破壊する例で説明したが、媒体Ｐを媒体搬送方向に搬送しながら機密情報の画像を破壊するようにしても良い。
【００８２】
この場合、印刷データで印刷が指示された画像が、図７（ａ）に示すように、図中矢印Ａが示す媒体搬送方向における媒体Ｐの先端部側に非機密情報領域ＮＳが配置され、後端部側に機密情報領域ＳＣが配置されているとき、制御部２００は、図７（ｂ）に示すように、印刷データの画像を媒体Ｐの中心を基準に１８０度回転させ、図中矢印Ａが示す媒体搬送方向における媒体Ｐの先端部側に機密情報領域ＳＣが配置され、後端部側に非機密情報領域ＮＳが配置されるように編集して印刷する。
【００８３】
さらに、制御部２００は、媒体搬送方向における媒体Ｐの先端部がニップ領域１２６に挟持される位置に到達するまで逆媒体搬送方向に搬送して媒体Ｐを停止させ、その後、媒体Ｐを媒体搬送方向に搬送しながら機密情報の画像を破壊する。機密情報の画像を破壊した後、さらに媒体搬送方向における媒体の後端部が定着装置１２０のニップ領域１２６を通過するまで媒体Ｐを媒体搬送方向に搬送する。
【００８４】
即ち、機密情報の画像をニップ領域１２６を通過させて破壊した後、非機密情報の画像をニップ領域１２６を通過させる。
【００８５】
これにより、定着ベルト１２４に付着した機密情報の画像（例えば、図７（ｂ）に示す機密情報領域ＳＣ）のトナーが非機密情報（例えば、図７（ｂ）に示す非機密情報領域ＮＳ）の画像や余白に付着し、定着ベルト１２４に付着したトナーが除去される。
【００８６】
なお、媒体Ｐを媒体搬送方向に搬送しながら機密情報の画像を破壊する場合、媒体Ｐを逆媒体搬送方向に搬送するときも機密情報の画像を破壊するようにしても良い。このようにすることにより、機密情報の画像を２回破壊することができ、より確実に機密情報の判別を不可能にすることができる。
【００８７】
本実施例の変形例を図１１の変形例における画像形成装置の構成を示す概略側断面図に基づいて説明する。
【００８８】
図１１において、画像形成装置１の定着装置１２０にクリーニング部材１３０を設けるようにしても良い。
【００８９】
クリーニング部材１３０は、定着ベルト１２４に付着したトナー（機密情報の画像のトナー）を除去するものであり、定着ベルトに接触する配設されたクリーニングローラやクリーニングブレード等である。
このように、クリーニング部材１３０を設けることにより、定着ベルト１２４に付着したトナーをより確実に除去することができるようになり、画像品位の向上を図ることができるようになる。
【００９０】
また、定着器１２０と、転写装置１０５および現像装置１０６との間に、機密情報の画像を破壊した後の媒体Ｐを逆搬送方向に搬送する廃棄搬送路１４１と、媒体Ｐを廃棄搬送路１４１へ導く搬送路切替部１４２と、廃棄搬送路１４１で搬送された媒体Ｐを収容する収容部１４３とを設け、機密情報の画像を破壊した後の媒体Ｐを装置外へ排出することなく、収容部１４３に収容して廃棄するようにしても良い。
【００９１】
このように、機密情報の画像を破壊した後の媒体Ｐを収容部１４３に廃棄することにより、ユーザによる媒体Ｐの受け取りを不可能にすることができ、より確実に機密情報の外部への漏洩を防止することができる。
【００９２】
以上説明したように、第１の実施例では、機密情報を含むトナー像が定着された媒体が、機密情報を閲覧することが許可された正規ユーザに受け取られなかったと判定された場合、機密情報を含むトナー像を定着装置のニップ領域において再加熱して破壊するようにしたことにより、機密情報を含む画像を印刷した場合に、機密情報が外部に漏れることを抑制することができるという効果が得られる。
【実施例２】
【００９３】
第２の実施例の構成は、画像形成装置１の構成が第１の実施例と異なっている。その第２の実施例の構成を図９の第２の実施例における画像形成装置の構成を示す概略側断面図に基づいて説明する。
【００９４】
なお、上述した第１の実施例と同様の部分は、同一の符号を付してその説明を省略する。
【００９５】
図９において、画像形成装置１は、現像剤としてのトナーを媒体に定着させる定着装置を有し、媒体に現像剤像としてのトナー像を形成して印刷を行う印刷装置であり、例えば電子写真方式のプリンタである。本実施例の画像形成装置１は、カラー画像を媒体に形成するカラープリンタとして説明するが、単色の画像を媒体に形成するモノクロプリンタであっても良い。
【００９６】
画像形成装置１は、給紙カセット１０１と、給紙ローラ１０２と、レジストローラ１０３と、転写装置１０５と、現像装置１０６（１０６ＢＫ、１０６Ｙ、１０６Ｍ、１０６Ｃ）と、定着装置１２０と、排出ローラ１０８（１０８ａ、１０８ｂ）と、媒体排出口１０９ａと、受取検知センサ１１１とを有している。なお、本実施例の画像形成装置１は、図１に示す排紙積載部１１０を有しない構成となっている。
【００９７】
給紙カセット１０１、給紙ローラ１０２、レジストローラ１０３、転写装置１０５、現像装置１０６（１０６ＢＫ、１０６Ｙ、１０６Ｍ、１０６Ｃ）、および定着装置１２０は、第１の実施例と同様なので説明を省略する。
【００９８】
排出ローラ１０８（１０８ａ、１０８ｂ）は、媒体搬送方向における定着装置１２０の下流に配置され、媒体Ｐを挟持して搬送するローラ対であり、定着装置１２０の定着搬送ローラ１２７および押圧ローラ１２８で搬送された媒体Ｐをさらに図中矢印Ａが示す媒体搬送方向に搬送し、媒体排出口１０９へ搬送するものである。
【００９９】
本実施例の転写装置１０５、現像装置１０６（１０６ＢＫ、１０６Ｙ、１０６Ｍ、１０６Ｃ）、および定着装置１２０の各ローラ、並びに排出ローラ１０８は正回転および逆回転可能に構成されており、媒体Ｐを媒体搬送方向およびその反対方向に搬送することが可能になっている。
【０１００】
媒体排出口１０９ａは、媒体搬送方向における排出ローラ１０８の下流の画像形成装置１の側面に形成された開口部であり、排出ローラ１０８（１０８ａ、１０８ｂ）により搬送された媒体Ｐが通過するものである。
【０１０１】
受取検知センサ１１１は、媒体搬送方向における定着装置１２０の下流側に配置され、定着搬送ローラ１２７と押圧ローラ１２８とにより後端部が挟持された媒体Ｐの受け取りを検知するセンサであり、例えば光学式のセンサである。
【０１０２】
なお、定着搬送ローラ１２７と押圧ローラ１２８とにより後端部が挟持された媒体Ｐの先端部は媒体排出口１０９ａから排出されて装置外に配置され、媒体Ｐはユーザにより引き抜かれて受け取られる。
また、本実施例では、図３に示す判定部２６０は、定着部２４０でトナーが定着された媒体が正規のユーザとしての正規操作者によって受け取られたか否かを判定する。
【０１０３】
判定部２６０は、定着搬送ローラ１２７と押圧ローラ１２８とにより後端部が挟持された媒体Ｐが所定時間（例えば３分から５分程度の時間）内に受け取られたか否かを判定し、所定時間内に媒体Ｐが受け取られたことを受取検知センサ１１１で検知した場合、正規操作者によって受け取られたと判定し、所定時間が経過しても媒体Ｐが受け取られたことを受取検知センサ１１１で検知できなかった場合、正規操作者によって媒体Ｐが受け取られなかったと判定する。
【０１０４】
上述した構成の作用について説明する。
【０１０５】
画像形成装置が行う印刷処理を図１０の第２の実施例における印刷処理の流れを示すフローチャートの図中Ｓで表すステップに従って図２、図３、図５、図６および図９を参照しながら説明する。
【０１０６】
Ｓ２０１〜Ｓ２０７：図４に示すＳ１０１〜Ｓ１０７と同様の処理なので説明を省略する。
【０１０７】
Ｓ２０８：制御部２００は、判定部２６０により、正規ユーザにより媒体が受け取られたか否か、即ち所定時間内に媒体が受け取られたか否かを判定する。
【０１０８】
制御部２００は、判定部２６０により、正規ユーザにより媒体が受け取られたと判定すると本処理を終了し、正規ユーザにより媒体が受け取られなかったと判定すると処理をＳ２０９へ移行する。
【０１０９】
Ｓ２０９：制御部２００は、判定部２６０により、正規ユーザにより媒体が受け取られなかったと判定すると、機密情報処理部２５０により、定着装置１２０の定着駆動ローラ１２５および定着搬送ローラ１２７を逆回転させて、媒体Ｐをニップ領域１２６へ搬送する逆搬送を開始する。
【０１１０】
例えば、図６（ａ）に示すように、定着装置１２０の定着駆動ローラ１２５および定着搬送ローラ１２７を逆回転させて、媒体Ｐを図中矢印Ｅが示す逆媒体搬送方向へ搬送する。
【０１１１】
Ｓ２１０〜Ｓ２１４：図４に示すＳ１１０〜Ｓ１１４と同様の処理なので説明を省略する。
【０１１２】
Ｓ２１５：制御部２００は、定着部２４０により、定着装置１２０の定着駆動ローラ１２５および定着搬送ローラ１２７を正回転方向に回転させ、また搬送部２２０により、排出ローラ１０８を回転させて媒体Ｐを媒体搬送方向へ搬送し、装置外へ排出して本処理を終了する。
【０１１３】
このとき、Ｓ２１２においてトナー像が破壊された媒体Ｐは、トナー像が破壊された状態、即ち機密情報が判別できない状態で排出される。
【０１１４】
このように、本実施例の制御部２００は、機密情報を含むトナー像が定着された媒体Ｐが、判定部２６０により機密情報を閲覧することが許可された正規ユーザに受け取られなかったと判定された場合、機密情報を含むトナー像を機密情報処理部２５０の制御により定着装置１２０のニップ領域１２６において再加熱して破壊するようにしたことにより、機密情報を含む画像を印刷した場合に、機密情報が外部に漏れることを抑制し、機密性を高めることができる。
【０１１５】
なお、本実施例でも第１の実施例と同様に、媒体Ｐを媒体搬送方向に搬送しながら機密情報の画像を破壊するようにしても良い。
また、本実施例でも第１の実施例と同様に、図１１に示すように、画像形成装置１の定着装置１２０にクリーニング部材１３０を設けるようにしても良く、また機密情報の画像を破壊した後の媒体Ｐを装置外へ排出することなく、収容部１４３に収容して廃棄するようにしても良い。
【０１１６】
以上説明したように、第２の実施例では、機密情報を含む画像を印刷した場合に、機密情報が外部に漏れることを抑制することができるという効果が得られる。
【０１１７】
第１の実施例および第２の実施例では、画像形成装置をプリンタとして説明したが、それに限られることなく、複写機、ファクシミリ装置、または複合機（ＭＦＰ）等としても良い。
【０１１８】
また、第１の実施例および第２の実施例では、機密情報のトナー像を再度加熱して溶解させることで機密情報の画像を破壊するようにしたが、特定の温度に加熱すると変色するトナー（着色剤）や媒体を用いて機密情報の画像の視認性を低下させることで機密情報の外部への漏洩を抑制することができる。
【符号の説明】
【０１１９】
１    画像形成装置
１０１  給紙カセット
１０２  給紙ローラ
１０３  レジストローラ
１０５  転写装置
１０６（１０６ＢＫ、１０６Ｙ、１０６Ｍ、１０６Ｃ）  現像装置
１０８  排出ローラ
１０９  媒体排出口
１１０  排紙積載部
１２０  定着装置
１２１  ヒータ
１２２  ヒータ保持部材
１２３  サーミスタ
１２４  定着ベルト
１２５  定着駆動ローラ
１２７  定着搬送ローラ
１２８  押圧ローラ
２００  制御部
２１０  記憶部
２２０  搬送部
２３０  画像形成部
２４０  定着部
２５０  機密情報処理部
２６０  判定部
２７０  操作表示部
【図１】
2020034782.tif 000003
【図２】
2020034782.tif 000004
【図３】
2020034782.tif 000005
【図４】
2020034782.tif 000006
【図５】
2020034782.tif 000007
【図６】
2020034782.tif 000008
【図７】
2020034782.tif 000009
【図８】
2020034782.tif 000010
【図９】
2020034782.tif 000011
【図１０】
2020034782.tif 000012
【図１１】
2020034782.tif 000013